(57)【要約】  【課題】カバン類に補充的に配置して小物を収納する小物収容具の構成を簡易に変更する。  【解決手段】小物収容具１００は、パネル１０に１または複数のポケット部２０を取り付けて構成される。パネル１０およびポケット部２０の基材片２１には、相互に整合する態様で透孔１０ａ、２１ａが設けられ。透孔１０ａおよび２１ａに連結部材を嵌入してポケット部２０をパネル１０に取り付ける。１または複数のポケット部２０を多様な配置でパネル１０に取り付けることができる。【選択図】  図１
2007301400.tif 000002
【特許請求の範囲】
【請求項１】
少なくとも２つの透孔が設けられ、被覆材料とともに収容部を形成する基材片と、
上記２つの透孔の二次元の配置をずらした配置で、２つの透孔が少なくとも２組設けられた基材本体と、
上記基材片の透孔と上記基材本体の透孔とを整合させた状態で貫通して当該整合させた位置で上記基材片と上記基材本体を結合させる連結部材とを有することを特徴とする小物収容具。
【請求項２】
上記基材本体の透孔は、所定の一方向に等間隔で設けられる請求項１記載の小物収容具。
【請求項３】
上記基材本体の透孔は、上記所定の位置方向に直交する方向に等間隔で設けられる請求項２記載の小物収容具。
【請求項４】
上記連結部材は、径の大きな両端部と、当該両端部を連結する径の小さな中央部とを有し、上記基材片および上記基材本体のそれぞれの透孔は、上記両端部の径より径が大きな第１の円形部分と、上記両端部の径より径が小さく、かつ上記中央部より径が小さくない第２の円形部分と、上記第１の円形部分および上記第２の円形部分を連結する幅狭部とからなり、上記中央部を上記第１の円形部から上記第２の円形部へと圧力下で移動可能なようにする請求項１から３のいずれかに記載の小物収容具。
【請求項５】
使用状態で上記基材本体の透孔の第１の円形部分が当該第２の円形部分より上にあり、上記基材片の透孔の第１の円形部分が当該第２の円形部分より下にある請求項４記載の小物収容具。
【発明の詳細な説明】
【技術分野】
【０００１】
この発明は、筆記具・携帯電話・印鑑・手帳・カードなどの小物の収納に適した書類入れカバン、女性用バッグ、リュックサック等のカバン類の中仕切、その他、カバン類への収容に適した小物収容具に関し、とくに、面ファスナ等を用いなくても、基材本体の任意の位置に収容部を配置できるようにしたものである。
【背景技術】
【０００２】
一般にビジネスマンが業務上用いるカバンには、書類用中仕切、３本分程度のペン差し、１個分の携帯用ポケット程度しか設けられておらず、収納部が不足している。とくに、デザインを重視した高級なカバンほど以上の特徴が顕著になっている。
【０００３】
このような点から、補充的に追加される中仕切や板部材に適宜に小物収納部を設ける提案がなされている（特許文献１、特許文献２）。また、そのような板部材をカバン本体に止着部により取り付けることも提案されている（特許文献３）。なお、以下では、このような追加的な中仕切や板部材を単に小物収容具と呼ぶこともある。  
【０００４】
ところで、特許文献４は、中仕切のパネル本体および収納部（収納ポケット）に面ファスナを取り付け、収納部をパネル本体に着脱自在に取り付け、収納部の構成を状況に応じて変更することを提案している。  
【０００５】
しかしながら、面ファスナを利用するとコストアップになるという不都合があった。
【特許文献１】実開平３−５５７２８号公報
【特許文献２】実開平４−１３１３２２号公報
【特許文献３】登録実用新案公報第３０５４３７２号
【特許文献４】実開平４−３８７２１号公報。
【発明の開示】
【発明が解決しようとする課題】
【０００６】
この発明は、以上の事情を考慮してなされたものであり、面ファスナ等を用いなくても、基材本体の適宜な位置に収容部を配置できる小物集用具を提供することを目的としている。
【課題を解決するための手段】
【０００７】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００８】
すなわち、この発明の一側面によれば、上述の目的を達成するために、小物収容具に：少なくとも２つの透孔が設けられ、被覆材料とともに収容部を形成する基材片と；上記２つの透孔の二次元の配置をずらした配置で、２つの透孔が少なくとも２組設けられた基材本体と；上記基材片の透孔と上記基材本体の透孔とを整合させた状態で貫通して当該整合させた位置で上記基材片と上記基材本体を結合させる連結部材とを設けている。
【０００９】
この構成においては、面ファスナを用いることなく、適宜な位置に収容部を配置できる。
【００１０】
この構成において、上記基材本体の透孔は、典型的には所定の一方向に等間隔で設けられる。所定の方向は、典型的には、水平方向である。
【００１１】
また、上記基材本体の透孔は、典型的には、さらに、上記所定の位置方向に直交する方向に等間隔で設けられる。
【００１２】
また、上記連結部材は、径の大きな両端部と、当該両端部を連結する径の小さな中央部とを有し、上記基材片および上記基材本体のそれぞれの透孔は、上記両端部の径より径が大きな第１の円形部分と、上記両端部の径より径が小さく、かつ上記中央部より径が小さくない第２の円形部分と、上記第１の円形部分および上記第２の円形部分を連結する幅狭部とからなり、上記中央部を上記第１の円形部から上記第２の円形部へと圧力下で移動可能なようにしてよい。
【００１３】
また、典型的には、想定される使用状態で上記基材本体の透孔の第１の円形部分（大）が当該第２の円形部分（小）より上にあり、上記基材片の透孔の第１の円形部分（大）が当該第２の円形部分（小）より下にある。好ましくは、第１および第２の円形部材は垂直方向に整合する。基材片を基材本体に取り付けた状態では、基材片および基材本体のそれぞれの透孔のそれぞれの第２の円形部分に連結部材の中央部が係合する。そして、基材片の自重により、その透孔は下方に力を受ける。この基材片の透孔の下方の力と、基材本体の透孔の応力とが連結部材を介して釣り合う。このような状況では、基材片の自重からは、連結部材を、基材片および基材本体のそれぞれの透孔の基材片の透孔の第２の円形部分（小）から第１の円形部分（大）に移動させる力成分は発生しないので、基材片が基材本体から外れにくい。
【００１４】
この発明の上述の側面およびこの発明の他の側面は特許請求の範囲に記載され、以下、実施例を用いて詳細に説明される。
【発明を実施するための最良の形態】
【００１５】
以下、この発明の実施例について説明する。
【実施例】
【００１６】
図１は、小物収容具１００を全体として示しており、この図において、小物収容具１００は、パネル（基材本体）１０に１または複数のポケット部（収納部）２０を取り付けて構成される。小物収容具１００自体は、破線で示すように、鞄等の袋もの２００に収容される。
【００１７】
パネル１０は典型的には樹脂製であり、例えばポリプロプレンから製造されるが、これに限定されない。パネル１０の全体形状は、薄板状であり、紳士用バックに収容する小物収容具の例では、典型的には、幅３４７ｍｍ、高さ２４５ｍｍ、厚さ１．５〜２．０ｍｍであるが、これに限定されない。
【００１８】
パネル１０は、図２に示すように、格子状の配置でダルマ形状の小さな透孔１０ａ（図３参照）を設けている。図２の矢印１１は、典型的な収納時の上方向を示すが、収納態様は、これに限定されない。隣接する透孔１０ａの間のピッチは、高さ方向が３０ｍｍ、幅方向が１５ｍｍである。透孔１０ａの形状は、図３に示すように、５．５ｍｍの径の大きな円Ａと３ｍｍの小さな円Ｂとを組み合わせた形状であり、その連結部Ｃの幅は約２．５ｍｍである。
【００１９】
ポケット部２０は、図４に示すように、収納基材（基材片）２１に、袋状および蓋上の被覆材料２２、２３を結合して構成される。被覆材料２２、２３は、接着剤、超音波溶着等種々の手法で収納基材２１に取り付けられる。収納基材２１は、パネル１０と同一または異なる材料で形成でき、そのサイズはポケット部２０の本体の大きさに依存し、厚さは典型的には０．５〜１．０ｍｍである。被覆材料２２、２３は、透明プラスチック、不透明プラスチック、布、ネット等から構成され、典型的には、蓋つき、または蓋なしのポケット（蓋なしの場合、被覆材料２３が省略される）を構成するが、これに限定されず、任意の収容形態を採用できる。収納基材２１は、パネル１０と同様に透孔２１ａを有し、天地を考慮した場合には、図５に示すように、透孔１０ａと上下を逆にした形状となっている。収納基材２１はその四隅の位置に透孔２１ａを配置し、その高さ方向および幅方向の間隔はパネル１０の高さ方向および幅方向のピッチのそれぞれの正数倍となっている。このため、収納部２０の収納基材２１の透孔２１ａをパネル１０の透孔１０ａと整合させることができる。収納基材２１の透孔２１ａをパネル１０の透孔１０ａと同じピッチで、あるいはそのＮ（正数）分の１のピッチで設けても良い。要するに収納基材２１の透孔２１ａがパネル１０の透孔１０ａと整合すれば十分である。
【００２０】
ポケット部２０は、連結部材３０（図６参照）を用いて、パネル１０に取り付ける。連結部材３０は図６に示すように短い円筒形状の端部３１、３２と、これら端部３１、３２を結合する柱状部３３とからなっている。端部３１、３２の径は、５ｍｍであり、柱状部３３の径は３ｍｍである、端部３１、３２の高さは１．５ｍｍ、柱状部３３の高さは２．５〜３．５ｍｍである。連結部材３０は、典型的には、ＡＢＳ樹脂、その他のエンジニアリングプラスチックから製造されるが、その他の樹脂または金属から製造されても良い。取り付け前の状態では図７（ａ）に示すように、連結部材３０の柱状部３３がパネル１０の透孔１０ａおよびポケット部２０の収納基材２１の透孔２１ａの大きな穴Ａを貫通する。大きな穴Ａの径は連結部材３０の双方の端部３１、３２の径より大きいので、連結部材３０を図７（ａ）の状態に配置できる。ただし、この状態では、連結部材３０はパネル１０の透孔１０ａおよび収納基材２１の透孔２１ａの円形の穴Ａから外れてしまう。こののち、パネル１０および収納基材２１を圧力下でずらして連結部材３０の柱状部３３がパネル１０の透孔１０ａの小さな穴Ｂ（３ｍｍ）および収納基材２１の透孔２１ａの小さな穴Ｂ（３ｍｍ）を貫通するようにする。透孔１０ａおよび２１ａの穴の連結部Ｃの幅（約２．５ｍｍ）は連結部材３０の柱状部３３の径（３ｍｍ）より小さいが、力を加えることにより圧縮して嵌着させることができる。嵌着状態を図７（ｂ）に示す。この状態では、連結部材３０は、透孔１０ａおよび２１ａの円形の穴Ｂから外れない。このため、連結部材３０でパネル１０にポケット部２０を取り付けることができる。なお、小さな穴Ｂは連結部材の柱状部３３を収納でき、かつ、端部３１、３２より小さければ良い。従って穴Ｂの径は、若干のガタツキを問題にしないのであれば、５ｍｍを越えない範囲で、３ｍｍより大きくても良い。
【００２１】
連結部材３０は透孔１０ａ、２１ａを４カ所で結合させることが好ましいが、ポケット部２０に要求される安定性に応じて連結箇所の個数を変更できる。典型的には、少なくとも２カ所で結合を行う。
【００２２】
この実施例によれば、面ファスナを用いることなく、パネル１０の適宜な位置に１または複数のポケット部２０を取り付けることができる。また、パネル１０および収納基材２１を製造するには板状の素材に単に透孔を設けるだけでよいので（なお、収納基材２１には被覆材料を取り付ける必要がある）、パネル１０および収納基材２１の加工に複雑な成型作業が不要であり、小物収納具を安価に製造できる。
【００２３】
なお、上述の実施例では、パネルにおける高さ方向および幅方向の透孔ピッチの正数倍の間隔で収納基材に透孔を設けたが、収納基材の少なくとも２つの透孔に対応する配置でパネル上に少なくとも２つの透孔に対応する透孔を２組以上設ければ、パネルにポケット部を収納位置可変に取り付けられることができ、そのようなものであれば、どのようなものでもよい。
【００２４】
また、透孔の形状もどのようなものでもよく、単純な円形、多角形であってよい。連結部材も、このようなパネルおよび収納基材の透孔を貫通して把持するものであれば、どのようなものでもよい。また、連結部材を一対の半体から構成し、雄雌構造を、嵌着、ネジ止めにより固定してパネルおよび収納基材を結合してもよい。小物収容具の用途等に応じて、パネル、収納基材、それらの透孔、連結部材のそれぞれの形状、大きさ、材質を種々に変更できる。またパネルの一方または双方に、布等から製造したカバーを被覆して見栄えをよくしてもよい。ただし、連結部材の取り付け上、必要な場合には、事後的または事前にカバーに部分的に穴等を形成する。
【図面の簡単な説明】
【００２５】
【図１】この発明の実施例の小物収容具を全体として示す図である。
【図２】上述実施例の小物収容具のパネルの一方の面を示す図である。
【図３】上述実施例の小物収容具のパネルの透孔を拡大して示す図である。
【図４】上述実施例の小物収容具のポケット部の基材片を示す図である。
【図５】上述実施例の小物収容具のポケット部の基材片の透孔を拡大して示す図である。
【図６】この発明の実施例の小物収容具の連結部材を全体として示す斜視図である。
【図７】上述実施例の小物収容具のパネルへの基材の取り付けを模式的に説明する図である。
【符号の説明】
【００２６】
１００      小物収容具
１０      パネル
１０ａ      パネルの透孔
２０      ポケット部
２１      収納基材
２１ａ      収納基材の透孔
２２、２３      被覆部材
３０      連結部材
３１、３２      端部
３３      柱状部
【図１】
2007301400.tif 000003
【図２】
2007301400.tif 000004
【図３】
2007301400.tif 000005
【図４】
2007301400.tif 000006
【図５】
2007301400.tif 000007
【図６】
2007301400.tif 000008
【図７】
2007301400.tif 000009